(57)【要約】      （修正有）【課題】携帯に便利で、片手で取扱いやすく、しかも飲料を飲みやすくした飲料バッグを提供する。【解決手段】バッグ本体１１は軟質合成樹脂製の複数枚のシート素材が積層されその外周縁が所定の幅をもって帯状に固着されることによって、飲料を収容して筒状に丸め得る薄形バッグ状に製作され、飲み口部１２は飲料を下方から飲み口に導入する筒状部１２Ａを有し、飲み口部には飲み口を開口可能に密封するキャップ１３が取付けられ、バッグ本体の固着された帯状縁部１１Ａには飲み口部の筒状部がバッグ本体内に連通するようにシート素材の間に差し込まれて、飲み口部がバッグ本体の帯状縁部に固着され、バッグ本体には丸められたバッグ本体を筒状に保持する保持手段１４、１５が設けられ、バッグ本体を薄形バッグ状で携帯し得るとともに、筒状にして携帯し飲料し得るようにした。【選択図】図２
2015217238.tif 000002
【特許請求の範囲】
【請求項１】
バッグ本体に飲料を収容して携帯するのに適した飲料バッグにおいて、
バッグ本体（１１）は軟質合成樹脂製の複数枚のシート素材が積層されその外周縁が所定の幅をもって帯状に固着されることによって、飲料を収容して筒状に丸め得る薄形バッグ状に製作されている一方、
飲み口部（１２）は飲料を下方から飲み口に導入する筒状部（１２Ａ）を有し、該飲み口部（１２）には飲み口を開口可能に密封するキャップ（１３）が取付けられ、上記バッグ本体（１１）の固着された帯状縁部（１１Ａ）には上記飲み口部（１２）の筒状部（１２Ａ）が上記バッグ本体（１１）内に連通するように上記シート素材の間に差し込まれて上記飲み口部（１２）が上記バッグ本体（１１）の帯状縁部（１１Ａ）に固着され、
上記バッグ本体（１１）には丸められたバッグ本体（１１）を筒状に保持する保持手段（１４、１５、１６、１７、１８、１９）が設けられており、
上記バッグ本体（１１）が薄形バッグ状で携帯し得るとともに、筒状にして携帯し飲料し得るようになっていることを特徴とする飲料バッグ。
【請求項２】
上記保持手段は、上記バッグ本体（１１）の帯状縁部（１１Ａ）のうち、上記飲み口部（１２）の筒状部（１２Ａ）の中心軸線を延長した直線を挟んで対向する部位に設けられた係止手段（１４、１６、１８）及び受け手段（１５、１７）であり、上記バッグ本体（１１）が上記飲み口部（１２）の筒状部（１２Ａ）の中心軸線を延長した直線を基準に丸められて上記係止手段（１４、１６、１８）と受け手段（１５、１７）とが相互に係止されることによって筒状に保持可能となっている請求項１記載の飲料バッグ。
【請求項３】
上記バッグ本体（１１）は長方形状又は正方形状をなし、上記飲み口部（１２）は上記バッグ本体（１１）の帯状縁部（１１Ａ）のうちの１つの辺に設けられ、上記係止手段（１４、１６、１８）と受け手段（１５、１７）は上記バッグ本体（１１）の帯状縁部（１１Ａ）のうちの上記飲み口部（１２）の設けられる辺とは異なる辺でかつ相互に対向する２つの辺に設けられている請求項１記載の飲料バッグ。
【請求項４】
上記バッグ本体（１２）の内部には上記係止手段（１４、１６、１８）が設けられる辺の方向に延びる複数の仕切り部（１１Ｂ）が相互に間隔をあけかつ隣接する空間を相互に連通させるように設けられている請求項３記載の飲料バッグ。
【請求項５】
上記係止手段（１４）は上記バッグ本体（１１）の帯状縁部（１１Ａ）に矢印状の切り溝を入れることによって形成され、上記受け手段（１５）は上記バッグ本体（１１）の帯状縁部（１１Ａ）に形成され上記係止手段（１４）が嵌まり込み得る直線状の切り溝である請求項２記載の飲料バッグ。
【請求項６】
上記係止手段及び受け手段は雌雄の面ファスナー（１８）、雄雌のボタン（１６、１７）又はフックとフック受けのいずれかである請求項２記載の飲料バッグ。
【請求項７】
上記保持手段は筒状に丸めたバッグ本体１１に抱きつき得るベルト（１９）である請求項１記載の飲料バッグ。
【発明の詳細な説明】
【技術分野】
【０００１】
この発明は飲料バッグに関し、特に携帯に便利で、片手で取扱いやすく、しかも飲料を飲みやすくした飲料バッグに関する。
【背景技術】
【０００２】
例えば、ＰＥＴボトルなどの飲料ボトルはコーヒー、ジュース、飲料水などを入れる容器として広く使用されているが、飲み終わったときに嵩張ってしまい、持ち帰るにも、又廃棄するにも扱い難かった。
【０００３】
これに対し、ボトル胴部から底面にかけて縦方向の折り溝を対向して形成し、飲み終わったときに横方向に圧潰できるようにした飲料ボトル（特許文献１）、胴部を蛇腹状に形成し、飲み終わったときに縦方向に圧潰できるようにした飲料ボトル（特許文献）、が提案されている。
【０００４】
しかるに、特許文献１、２記載の飲料ボトルは飲料を飲み終わった後に小さくでき、持ち帰りや廃棄が容易であるものの、飲料を入れているときにはボトル形状のままであり、携帯するのに嵩張るという難点があった。
【０００５】
他方、軟質合成樹脂材料製の２枚の矩形シート素材を重ねて外周縁をヒートシールし、シート素材の周縁内側近傍に飲み口を形成し、平板状にして鞄やリュックサックに収納できて大きな収納スペースを必要とせず、又飲料を飲み終わった後には平板状にして又は折り畳んで鞄やリュックサックに収納でき、便利に取り扱うことができるようにした折り畳み式の飲料バッグが提案されている（特許文献３）。
【先行技術文献】
【特許文献】
【０００６】
【特許文献１】特開２００４−４２９７８号公報
【特許文献２】特開平１０−１１２６号公報
【特許文献３】実用新案登録第３０３０９０２号公報
【発明の開示】
【発明が解決しようとする課題】
【０００７】
しかし、特許文献３記載の飲料バッグでは平板状バッグの周縁内側近傍に飲み口を設けていたので、バッグを両手に持って飲み口から飲料を飲まなければならず、片手では扱い難いという問題があった。
【０００８】
本発明はかかる問題点に鑑み、携帯に便利で、片手で取扱いやすく、しかも飲料を飲みやすくした飲料バッグを提供することを課題とする。
【課題を解決するための手段】
【０００９】
そこで、本発明に係る飲料バッグは、バッグ本体に飲料を収容して携帯するのに適した飲料バッグにおいて、バッグ本体は軟質合成樹脂製の複数枚のシート素材が積層されその外周縁が所定の幅をもって帯状に固着されることによって、飲料を収容して筒状に丸め得る薄形バッグ状に製作されている一方、飲み口部は飲料を下方から飲み口に導入する筒状部を有し、該飲み口部には飲み口を開口可能に密封するキャップが取付けられ、上記バッグ本体の固着された帯状縁部には上記飲み口部の筒状部が上記バッグ本体内に連通するように上記シート素材の間に差し込まれて上記飲み口部が上記バッグ本体の帯状縁部に固着され、上記バッグ本体には丸められたバッグ本体を筒状に保持する保持手段が設けられており、上記バッグ本体が薄形バッグ状で携帯し得るとともに、筒状にして携帯し飲料し得るようになっていることを特徴とする。
【００１０】
本発明の特徴の１つはバッグ本体を薄形バッグ状とし、バッグ本体の外周縁部のシート素材の間に飲み口部の筒状部を差し込んで固定するとともに、保持手段によってバッグ本体を筒状に保持できるようにした点にある。
【００１１】
これにより、飲料バッグを薄形バッグ状のままで鞄内やリュックサック内に入れて嵩張らずに携帯でき、複数の飲料バッグを保管する際に積み重ねておくことができて大きなスペースを必要とせず、又夏期には冷えた飲料を入れあるいは飲料バッグを冷凍しておくことによって弁当などの食料品の保冷に利用することができる。
【００１２】
また、バッグ本体を筒状に丸めて保持手段で保持すると、筒状の飲料バッグを車両のカップホルダーやリュックサックのポケットに入れて携帯し、筒状の飲料バッグを片手で持って飲み口から飲料を飲むことができ、扱いやすい。
【００１３】
ここで、保持手段は丸めたバッグ本体を筒状に保持できればよく、例えば筒状に丸めたバッグ本体に抱きつき得るベルトを採用することもできるが、相互に係止し得る係止手段と受け手段を採用することもできる。
【００１４】
例えば、バッグ本体の帯状縁部のうち、飲み口部の筒状部の中心軸線を延長した直線を挟んで対向する部位に係止手段及び受け手段を設け、バッグ本体は飲み口部の筒状部の中心軸線を延長した直線を基準に丸めて、係止手段と受け手段とを相互に係止させることによって筒状に保持することができる。
【００１５】
バッグ本体の形状は特に限定されず、三角形、円形、楕円形などを採用できるが、バッグ本体を円滑に筒状に丸める上で、長方形や正方形を採用するのが好ましい。
【００１６】
すなわち、バッグ本体は長方形状又は正方形状となし、飲み口部はバッグ本体の帯状縁部のうちの１つの辺に設け、係止手段と受け手段はバッグ本体の帯状縁部のうちの飲み口部の設けられる辺とは異なる辺でかつ相互に対向する２つの辺に設けるのがよい。
【００１７】
バッグ本体は１つの空間であってもよいが、飲料をバッグ本体内に均等に分散して収容してバッグ本体を軽く丸められるように、相互に連通する複数の空間に仕切るのがよい。すなわち、バッグ本体の内部には係止手段が設けられる辺の方向に延びる複数の仕切り部を相互に間隔をあけかつ隣接する空間を相互に連通させるように設けるのがよい。
【００１８】
係止手段及び受け手段は相互に係止できればよく、例えば雌雄の面ファスナー、雄雌のボタン、あるいはフックとフック受けの組合せなどで構成することができるが、製造工程が複雑になってコスト高を招来するおそれがある。
【００１９】
そこで、係止手段はバッグ本体の帯状縁部に矢印形状の切り溝を入れることによって形成し、受け手段は係止手段が嵌まり込み得る直線状の切り溝をバッグ本体の帯状縁部に入れることによって形成するのがよい。この場合、矢印形状の切り溝は可能な限り大きくすると、係止の安定性を確保することができる。
【００２０】
シート素材は軟質合成樹脂材料によって製造されていればよい。例えば、低密度ポリエチレンや中密度ポリエチレン、エチレン・酢酸ビニル共重合体（ＥＶＡ）、ポリプロピレン、あるいはこれらのアルミ蒸着フィルムやアルミ箔ラミネートフィルムなどを用いて製造することができる。
【００２１】
また、バッグ本体は筒状に丸める上で、バッグ本体の側縁及び底縁にマチのないのがよいが、筒状に丸めることができる限りマチが設けられていてもよい。
【図面の簡単な説明】
【００２２】
【図１】本発明に係る飲料バッグの好ましい実施形態を示す概略斜視図である。
【図２】上記実施形態において飲料バッグを筒状に丸めた状態を示す概略斜視図である。
【図３】第２の実施形態において飲料バッグを筒状に丸めた状態を示す概略斜視図である。
【図４】第３の実施形態において飲料バッグを筒状に丸めた状態を示す概略斜視図である。
【図５】第４の実施形態を示す概略斜視図である。
【図６】第５の実施形態を示す概略斜視図である。
【発明を実施するための形態】
【００２３】
以下、本発明を図面に示す具体例に基づいて詳細に説明する。図１及び図２は本発明に係る飲料バッグの好ましい実施形態を示す。図において、飲料バッグ１０ではバッグ本体１１に飲み口部１２を固着して構成され、バッグ本体１１は横長の長方形の薄型バッグ状に製作され、バッグ本体１１では軟質ポリエチレン製の２枚の長方形のシート素材が積層され、その外周縁がヒートシール又は接着剤によって所定の幅をもって帯状に固着されている。
【００２４】
また、バッグ本体１１の内部には短辺の方向に延びる複数の仕切り部１１Ｂが相互に間隔をあけかつ隣接する収容空間を相互に連通させるように設けられている。
【００２５】
他方、飲み口部１２には飲料を下方から飲み口に導入する角筒状部（円筒状であってもよい）１２Ａが形成され、飲み口部１２には飲み口を開口可能に密封するキャップ１３が取付けられている。なお、角筒状部１２Ａはバッグ本体１１内に延びる短尺のものであってもよく、バッグ本体１１の底部近くまで延びる長尺のものであってもよい。
【００２６】
また、バッグ本体１１の固着された帯状縁部１１Ａのうち、長辺部位には飲み口部１２の角筒状部１２Ａがバッグ本体１１内に連通するようにシート素材の間に差し込まれ、シート素材の外周縁を帯状に固着するときに飲み口部１２の角筒状部１２Ａがバッグ本体１１の帯状縁部１１Ａに同時に固着されている。なお、飲み口部１２を設ける位置は必ずしも長辺部位の中央でなくてもよい。
【００２７】
さらに、バッグ本体１１には丸められたバッグ本体１１を筒状に保持する係止手段（保持手段）１４及び受け手段（保持手段）１５が設けられている。この係止手段１４及び受け手段１５はバッグ本体１１の帯状縁部１１Ａのうち、飲み口部１２の角筒状部１２Ａの中心軸線を延長した直線を挟んで対向する部位、すなわち対向する短辺部位に設けられ、バッグ本体１１を飲み口部１２の筒状部１２Ａの中心軸線を延長した直線を基準に丸めて係止手段１４と受け手段１５とを相互に係止することによって、バッグ本体１１は筒状に保持されるようになっている。
【００２８】
この係止手段１４はバッグ本体１１の帯状縁部１１Ａのうちの、一方の短辺部位に矢印状の切り溝を入れることによって形成され、受け手段１５はバッグ本体１１の帯状縁部１１Ａのうちの他方の短辺部位に形成され、係止手段１４の両側部分を折り曲げることによって挿通でき、折り曲げた部分を広げることによって抜け止めできる長さの直線状の切り溝によって構成されている。
【００２９】
本例の飲料バッグ１０を使用する場合、飲料バッグ１０は薄形バッグ状のままで鞄内やリュックサック内に入れても、薄形であるので、嵩張らない。また、複数の飲料バッグ１０を保管する場合に積み重ねておくことができ、ＰＥＴボトルのような大きな保管スペースを必要としない。さらに、夏期には冷えた飲料を入れあるいは飲料バッグ１０を冷凍しておくと、弁当などの食料品の保冷に利用することができる。
【００３０】
また、バッグ本体１１を筒状に丸めて係止手段１４を受け手段１５に挿通して抜け止めすると、バッグ本体１１を図２に示されるように筒状に保持することができる。
【００３１】
この筒状に丸めた飲料バッグ１０は車両のカップホルダーやリュックサックのポケットに差し込んで携帯することができる。また、筒状の飲料バッグ１０は片手で軽く持つことができ、キャップ１３を弛めて片手で飲み口から飲料を飲むことができ、扱いやすい。
【００３２】
図３は第２の実施形態を示し、図において図１及び図２と同一符号は同一又は相当部分を示す。本例では切り溝による係止手段１４及び受け手段１５に代え、雌雄のボタンによる係止手段１６及び受け手段１７を採用している。
【００３３】
図４は第３の実施形態を示し、図において図１及び図２と同一符号は同一又は相当部分を示す。本例では保持手段として係止手段及び受け手段に代え、ベルト１９を採用しており、雌雄の面ファスナー（フック＆ループ・ファスナー）１９Ａ（但し、図４には一方のファスナーのみが現れている）を締着させることによってベルト１９を無端状にすることができ、ベルト１９を飲料バッグに抱きつかせて飲料バッグ１０を筒状に保持することができる。
【００３４】
図５は第４の実施形態を示し、図において図１ないし図３と同一符号は同一又は相当部分を示す。本例ではバッグ本体１１の内部には複数の仕切り部１１Ｂによって複数の空間に仕切ることなく、１つの収容空間を構成するようにしている。
【００３５】
図６は第５の実施形態を示し、図において図５と同一符号は同一又は相当部分を示す。本例ではバッグ本体１１の左右の側縁及び底縁にマチ１１Ｃを設け、より多量の飲料を収容できるようにし、又雌雄の面ファスナー１８（係止手段、受け手段）（但し、図には一方のファスナーのみが現れている）によって飲料バッグ１０を筒状に保持するようになっている。
【符号の説明】
【００３６】
１０      飲料バッグ
１１      バッグ本体
１１Ａ      帯状固着部
１２      飲み口部
１２Ａ      角筒状部
１３      キャップ
１４、１６      係止手段
１５、１７      受け手段
１９      ベルト
【図１】
2015217238.tif 000003
【図２】
2015217238.tif 000004
【図３】
2015217238.tif 000005
【図４】
2015217238.tif 000006
【図５】
2015217238.tif 000007
【図６】
2015217238.tif 000008